(57)【要約】      （修正有）【課題】用水管理設備の制御および監視を容易にする用水管理システム、用水管理装置および用水管理方法を提供する。【解決手段】用水管理システム１は、管理装置１１と少なくとも１つの分水工設備とを持つ。用水管理システムは、操作部と記憶部と運転指示処理部と出力部とを持つ。操作部は、特定時点の分水工設備の運用状態を示すスケジュール情報の入力を受け付ける。記憶部は、入力されたスケジュール情報を記憶する。運転指示処理部は、記憶部に記憶されたスケジュール情報に基づいて分水工設備の運用状態を変更させる運転指示情報を生成する。出力部は、生成された運転指示情報を分水工設備へ出力する。分水工設備は、取得部と流量調整設備とを持つ。取得部は、出力された運転指示情報を取得する。流量調整設備は、取得された運転指示情報に基づいて水路を流れる用水の流量を制御する。【選択図】図２
2019122282.tif 000002
【特許請求の範囲】
【請求項１】
用水管理装置と少なくとも１つの分水工設備とを有する用水管理システムであって、
前記用水管理装置は、
特定時点の前記分水工設備の運用状態を示すスケジュール情報の入力を受け付ける操作部と、
前記操作部によって入力された前記スケジュール情報を記憶する記憶部と、
前記記憶部に記憶された前記スケジュール情報に基づいて前記分水工設備の運用状態を変更させる運転指示情報を生成する運転指示処理部と、
前記運転指示処理部によって生成された前記運転指示情報を前記分水工設備へ出力する出力部と、
を備え、
前記分水工設備は、
前記出力部から出力された前記運転指示情報を取得する取得部と、
前記取得部によって取得された前記運転指示情報に基づいて水路を流れる用水の流量を制御する流量調整設備と、
を備える用水管理システム。
【請求項２】
前記用水管理装置は、
前記記憶部に記憶された複数の前記スケジュール情報に基づいて、前記分水工設備の運用状態を示す情報を前記分水工設備毎に時系列に表示したスケジュール一覧画面を生成する画面生成処理部、
を備える請求項１に記載の用水管理システム。
【請求項３】
前記用水管理装置は、
前記画面生成処理部によって生成された画面を表示する表示部と、
前記表示部によって表示された前記スケジュール一覧画面に対して行われる前記操作部による入力に基づいて、前記記憶部に記憶された前記スケジュール情報を新たなスケジュール情報に更新するスケジュール処理部と、
を備える請求項２に記載の用水管理システム。
【請求項４】
前記用水管理装置は、
前記記憶部に記憶された前記スケジュール情報と、前記分水工設備の運用状態と前記水路を流れる前記用水の流量とが対応付けられた情報と、に基づいて、時刻毎の前記水路を流れる前記用水の流量を予測するシミュレーション処理部、
を備える請求項１に記載の用水管理システム。
【請求項５】
前記分水工設備は、
前記水路を流れる前記用水の流量を計測する計測部と、
前記計測部によって計測された前記流量を示す情報、および、前記分水工設備における故障の発生を示す情報のうち少なくとも一方を前記用水管理装置へ送信する送信部と、
を備え、
前記用水管理装置は、
前記送信部から送信された情報に基づいて、前記水路を流れる前記用水の流量の実際値と計画値との差が所定の閾値を超えたことを示す通知、および、前記故障の発生を示す通知のうち少なくとも一方を出力する通知処理部、
を備える請求項１に記載の用水管理システム。
【請求項６】
前記表示部は、前記分水工設備の駆動状態に関する予め定められた複数の駆動パターンを表示し、
前記操作部は、前記表示部に表示された前記複数の駆動パターンの中から選択された特定の駆動パターンを示す前記スケジュール情報の入力を受け付ける
請求項３に記載の用水管理システム。
【請求項７】
特定時点の分水工設備の運用状態を示すスケジュール情報の入力を受け付ける操作部と、
前記操作部によって入力された前記スケジュール情報を記憶する記憶部と、
前記記憶部に記憶された前記スケジュール情報に基づいて前記分水工設備の運用状態を変更させる運転指示情報を生成する運転指示処理部と、
前記運転指示処理部によって生成された前記運転指示情報を前記分水工設備へ出力する出力部と、
を備える用水管理装置。
【請求項８】
前記記憶部に記憶された複数の前記スケジュール情報に基づいて、前記分水工設備の運用状態を示す情報を前記分水工設備毎に時系列に表示したスケジュール一覧画面を生成する画面生成処理部、
を備える請求項７に記載の用水管理装置。
【請求項９】
前記画面生成処理部によって生成された画面を表示する表示部と、
前記表示部によって表示された前記スケジュール一覧画面に対して行われる前記操作部による入力に基づいて、前記記憶部に記憶された前記スケジュール情報を、新たなスケジュール情報に更新するスケジュール処理部と、
を備える請求項８に記載の用水管理装置。
【請求項１０】
前記記憶部に記憶された前記スケジュール情報と、前記分水工設備の運用状態と水路を流れる用水の流量とが対応付けられた情報と、に基づいて、時刻毎の前記水路を流れる前記用水の流量を予測するシミュレーション処理部、
を備える請求項７に記載の用水管理装置。
【請求項１１】
前記分水工設備から送信された、水路を流れる用水の流量を示す情報、および、前記分水工設備における故障の発生を示す情報のうち少なくとも一方に基づいて、前記水路を流れる前記用水の流量の実際値と計画値との差が所定の閾値を超えたことを示す通知、および、前記故障の発生を示す通知のうち少なくとも一方を出力する通知処理部、
を備える請求項７に記載の用水管理装置。
【請求項１２】
前記表示部は、前記分水工設備の駆動状態に関する予め定められた複数の駆動パターンを表示し、
前記操作部は、前記表示部に表示された前記複数の駆動パターンの中から選択された特定の駆動パターンを示す前記スケジュール情報の入力を受け付ける
請求項９に記載の用水管理装置。
【請求項１３】
用水管理装置と少なくとも１つの分水工設備とを有する用水管理システムによる用水管理方法であって、
特定時点の前記分水工設備の運用状態を示すスケジュール情報の入力を受け付ける操作ステップと、
前記操作ステップによって入力された前記スケジュール情報を記憶する記憶ステップと、
前記記憶ステップによって記憶された前記スケジュール情報に基づいて前記分水工設備の運用状態を変更させる運転指示情報を生成する運転指示処理ステップと、
前記運転指示処理ステップによって生成された前記運転指示情報を前記分水工設備へ出力する出力ステップと、
前記出力ステップによって出力された前記運転指示情報を取得する取得ステップと、
前記取得ステップによって取得された前記運転指示情報に基づいて水路を流れる用水の流量を制御する流量調整ステップと、
を有する用水管理方法。
【請求項１４】
前記記憶ステップによって記憶された複数の前記スケジュール情報に基づいて、前記分水工設備の運用状態を示す情報を前記分水工設備毎に時系列に表示したスケジュール一覧画面を生成する画面生成処理ステップ、
を有する請求項１３に記載の用水管理方法。
【請求項１５】
前記画面生成処理ステップによって生成された画面を表示する表示ステップと、
前記表示ステップによって表示された前記スケジュール一覧画面に対して行われる前記操作ステップによる入力に基づいて、前記記憶ステップによって記憶された前記スケジュール情報を新たなスケジュール情報に更新するスケジュール更新処理ステップと、
を有する請求項１４に記載の用水管理方法。
【請求項１６】
前記記憶ステップによって記憶された前記スケジュール情報と、前記分水工設備の運用状態と前記水路を流れる前記用水の流量とが対応付けられた情報と、に基づいて、時刻毎の前記水路を流れる前記用水の流量を予測するシミュレーション処理ステップ、
を有する請求項１３に記載の用水管理方法。
【請求項１７】
前記水路を流れる前記用水の流量を計測する計測ステップと、
前記計測ステップによって計測された前記流量を示す情報、および、前記分水工設備における故障の発生を示す情報のうち少なくとも一方を前記用水管理装置へ送信する送信ステップと、
前記送信ステップによって送信された情報に基づいて、前記水路を流れる前記用水の流量の実際値と計画値との差が所定の閾値を超えたことを示す通知、および、前記故障の発生を示す通知のうち少なくとも一方を出力する通知処理ステップと、
を有する請求項１３に記載の用水管理方法。
【請求項１８】
前記表示ステップは、前記分水工設備の駆動状態に関する予め定められた複数の駆動パターンを表示し、
前記操作ステップは、前記表示ステップによって表示された前記複数の駆動パターンの中から選択された特定の駆動パターンを示す前記スケジュール情報の入力を受け付ける
請求項１５に記載の用水管理方法。
【発明の詳細な説明】
【技術分野】
【０００１】
本発明の実施形態は、用水管理システム、用水管理装置および用水管理方法に関する。
【背景技術】
【０００２】
営農において農業用水の確保は必要不可欠である。農業用水の確保は、取水設備、基幹用水路、分水工設備および支線水路等からなる用水管理設備によって行われる。具体的には、主要河川またはダム等の貯水施設から取水設備によって取水された農業用水は、基幹用水路へ送水される。基幹用水路へ送水された農業用水は、分水工設備によって分水されて、複数の支線水路へ配水される。これにより、農業用水がそれぞれの地区へと供給され、農業用水の確保がなされる。従来、用水管理設備の制御および監視のための操作は、専従の操作員に委ねられていることが多い。
【０００３】
一般に、配水の対象地区は広範囲であるため、監視を必要とする用水管理設備は多数存在する。これにより、専従の操作員の監視が行き届かない場合があった。また、用水管理設備による配水は、地区ごとの土地改良区や水利組合によってそれぞれ決定された配水計画に基づいて行われる。そのため、例えば、用水管理設備の障害または天候の変化等に伴って特定の地区への配水量のみを変更する場合であっても、専従の操作員は、対象地区全体への影響を考慮して操作を行わなければならない。これにより、専従の操作員に依存した対応では、多くの時間を要してしまう場合があった。
【先行技術文献】
【特許文献】
【０００４】
【特許文献１】特開平０３−２３３８００号公報
【特許文献２】実開昭６３−１２６９１０号公報
【特許文献３】特開平０４−１８７８８１号公報
【特許文献４】特開２０００−１３５０３４号公報
【発明の概要】
【発明が解決しようとする課題】
【０００５】
本発明が解決しようとする課題は、用水管理設備の制御および監視を容易にすることができる用水管理システム、用水管理装置および用水管理方法を提供することである。
【課題を解決するための手段】
【０００６】
実施形態の用水管理システムは、用水管理装置と少なくとも１つの分水工設備とを持つ。用水管理装置は、操作部と、記憶部と、運転指示処理部と、出力部とを持つ。操作部は、特定時点の分水工設備の運用状態を示すスケジュール情報の入力を受け付ける。記憶部は、操作部によって入力されたスケジュール情報を記憶する。運転指示処理部は、記憶部に記憶されたスケジュール情報に基づいて分水工設備の運用状態を変更させる運転指示情報を生成する。出力部は、運転指示処理部によって生成された運転指示情報を分水工設備へ出力する。分水工設備は、取得部と、流量調整設備とを持つ。取得部は、出力部から出力された運転指示情報を取得する。流量調整設備は、取得部によって取得された運転指示情報に基づいて水路を流れる用水の流量を制御する。
【図面の簡単な説明】
【０００７】
【図１】用水管理設備の全体構成の一例を示す模式図。
【図２】用水管理システムのハードウェア構成の一例を示すブロック図。
【図３】用水管理システムの用水管理装置の機能構成を示すブロック図。
【図４】用水管理システムのＴＭ／ＴＣ子局装置の機能構成を示すブロック図。
【図５】用水管理システムによって表示されるスケジュール一覧画面の構成の一例を示す図。
【図６】用水管理システムによって表示される日付選択ウィンドウの構成の一例を示す図。
【図７】用水管理システムによって表示される用水管理設備の制御パターン選択ウィンドウの構成の一例を示す図。
【図８】用水管理システムによって表示される監視画面の構成の一例を示す図。
【図９】スケジュール一覧画面表示時における用水管理装置の動作の一例を示すフローチャート。
【図１０】自動運転実行時における用水管理装置の動作の一例を示すフローチャート。
【発明を実施するための形態】
【０００８】
以下、実施形態の用水管理システム、用水管理装置および用水管理方法を、図面を参照して説明する。
【０００９】
［用水管理設備の全体構成］
以下、用水管理設備の全体構成について説明する。
図１は、用水管理設備の全体構成の一例を示す模式図である。実施形態に係る用水管理設備は、水源である主要河川から取水し、取水した用水（例えば、農業用水）を分水して複数の地区へ送配水する設備である。用水管理設備は、後に説明する用水管理システム１を含んで構成される。用水管理システム１は、主要河川から取水された用水を複数の地区へ適正配分するための送配水制御を行う情報処理システムである。
【００１０】
図１に示すように、実施形態に係る用水管理設備には、水源である主要河川から取水した用水の流量を制御する中央管理所１０が設けられている。主要河川から取水された用水は、中央管理所１０による流量の制御のもと、２つの基幹用水路（基幹用水路Ｎおよび基幹用水路Ｓ）のうち少なくとも一方へ送水される。
【００１１】
また、図１に示すように、基幹用水路Ｎには、基幹用水路Ｎに送水された用水をさらに分水するための２つの分水工（分水工Ａ２０ａおよび分水工Ｂ２０ｂ）が設けられている。分水工Ａ２０ａおよび分水工Ｂ２０ｂによって分水された用水は、それぞれ支線水路Ａおよび支線水路Ｂに配水され、それぞれＡ地区およびＢ地区へ供給される。同様に、基幹用水路Ｓには、基幹用水路Ｓに送水された用水をさらに分水するための２つの分水工（分水工Ｃ２０ｃおよび分水工Ｄ２０ｄ）が設けられている。分水工Ｃ２０ｃおよび分水工Ｄ２０ｄによって分水された用水は、それぞれ支線水路Ｃおよび支線水路Ｄに配水され、それぞれＣ地区およびＤ地区へ供給される。
【００１２】
なお、本実施形態においては、一例として基幹用水路は２つであるものとしたが、１つ以上の任意の数でよい。また、一例として各基幹用水路に接続する支線水路はそれぞれ２つであるものとしたが、１つ以上の任意の数でよい。
【００１３】
なお、以下の説明において、主要河川から取水された用水を基幹用水路Ｎまたは基幹用水路Ｓへ流すことを「送水」という。また、基幹用水路Ｎまたは基幹用水路Ｓへ送水された用水を支線水路Ａ、支線水路Ｂ、支線水路Ｃまたは支線水路Ｄへ流すことを「配水」という。
【００１４】
中央管理所１０は、主要河川から取水する用水の流量と、基幹用水路Ｓおよび基幹用水路Ｎへそれぞれ送水する用水の流量とを制御する。さらに、中央管理所１０は、分水工Ａ２０ａおよび分水工Ｂ２０ｂにおいて、基幹用水路Ｎから支線水路Ａおよび支線水路Ｂへそれぞれ配水する用水の流量と、分水工Ｃ２０ｃおよび分水工Ｄ２０ｄにおいて、基幹用水路Ｓから支線水路Ｃおよび支線水路Ｄへそれぞれ配水する用水の流量とを制御する。すなわち、中央管理所１０は、用水管理設備内の各地点を流れる用水の流量を制御することによって、各地区への送配水状況を管理する。
【００１５】
なお、中央管理所１０は、用水管理設備内の各地点を流れる用水の流量ではなく、各地点における用水の水位等に基づいて送配水状況を管理してもよい。
【００１６】
［用水管理システムのハードウェア構成］
以下、用水管理システム１のハードウェア構成について説明する。
図２は用水管理システム１のハードウェア構成の一例を示すブロック図である。図２に示すように、用水管理システム１は、中央管理所１０に設置された、用水管理装置１１と、ＴＭ／ＴＣ（テレメータ／テレコントロール）親局装置１３とを含んで構成される。また、用水管理システム１は、分水工Ａ２０ａ、分水工Ｂ２０ｂ、分水工Ｃ２０ｃおよび分水工Ｄ２０ｄ（以下、これらを特に区別して説明する必要がない場合には、これらをまとめて単に「分水工２０」という）にそれぞれ設置された、ＴＭ／ＴＣ子局装置２１と、流量調整設備２２と、センサー２３と、を含んで構成される。
【００１７】
なお、図２に示すように、流量調整設備２２は、用水の流量を調整することができる装置（例えば、ゲート、バルブおよびポンプのうち少なくとも１つ）を含んで構成される。また、センサー２３は、用水の流量を計測することができる装置（例えば、水位計および流量計のうち少なくとも１つ）を含んで構成される。また、センサー２３は、各分水工２０において発生した異常（例えば、故障の発生）を検知する異常検知器（図示せず）を備える。
【００１８】
用水管理装置１１は、主要河川から取水される水の流量、基幹用水路Ｓおよび基幹用水路Ｎへそれぞれ送水される用水の流量、および、各分水工２０において各支線水路へそれぞれ配水される用水の流量を制御するための各種のデータ処理を行う。用水管理装置１１は、例えば、産業用ＰＣ（パーソナルコンピューター）等の情報処理装置を含んで構成される。
【００１９】
ＴＭ／ＴＣ親局装置１３は、各分水工２０にそれぞれ設置された、ＴＭ／ＴＣ子局装置２１とそれぞれ通信接続する。ＴＭ／ＴＣ親局装置１３とＴＭ／ＴＣ子局装置２１とは、有線もしくは無線の通信回線を介して通信接続される。
【００２０】
ＴＭ／ＴＣ親局装置１３からＴＭ／ＴＣ子局装置２１へは、各分水工２０において各支線水路へそれぞれ配水される用水の流量を制御するための制御指令（以下「運転指示情報」という。）が伝送される。また、ＴＭ／ＴＣ子局装置２１からＴＭ／ＴＣ親局装置１３へは、各分水工２０に備えられたセンサー２３から出力される情報に基づく計測信号や監視信号が伝送される。
【００２１】
ＴＭ／ＴＣ子局装置２１は、中央管理所１０に設置されたＴＭ／ＴＣ親局装置１３と通信接続する。ＴＭ／ＴＣ子局装置２１は、ＴＭ／ＴＣ親局装置１３から送信された運転指示情報を取得する。また、ＴＭ／ＴＣ子局装置２１は、受信した運転指示情報に基づいて、流量調整設備２２の駆動状態を変更させるための制御信号を生成し、流量調整設備２２へ出力する。これにより、各支線水路を流れる用水の流量が制御される。
【００２２】
また、ＴＭ／ＴＣ子局装置２１は、各分水工２０に備えられたセンサー２３から出力される情報（例えば、流量または水位等を示す計測情報、故障等による異常検知を示す監視情報）を取得する。ＴＭ／ＴＣ子局装置２１は、センサー２３から出力される情報に基づく計測信号や監視信号をＴＭ／ＴＣ親局装置１３へ送信する。
【００２３】
ＴＭ／ＴＣ親局装置１３およびＴＭ／ＴＣ子局装置２１は、例えば、ＰＬＣ（Programmable Logic Controller）等のコントローラを含んで構成される。
【００２４】
流量調整設備２２は、ＴＭ／ＴＣ子局装置２１から入力された制御信号に基づいて駆動状態の変更（例えば、バルブの開閉状態の変更等）を行う。
【００２５】
センサー２３（計測部）は、各支線水路に配水された用水の状態（例えば、流量、水位）を計測する。また、センサー２３は、分水工２０の異常（例えば、故障の発生）を検知する。センサー２３は、計測された流量および水位を示す計測信号、および、異常を検知したことを示す監視信号を、ＴＭ／ＴＣ子局装置２１へ出力する。
【００２６】
［用水管理装置の機能構成］
以下、用水管理装置１１の機能構成について説明する。
図３は、用水管理システム１の用水管理装置１１の機能構成を示すブロック図である。図３に示すように、用水管理装置１１は、データ処理部１１０と、入出力部１１１と、記憶部１１２と、表示部１１３と、操作部１１４と、を含んで構成される。
【００２７】
また、図３に示すように、データ処理部１１０は、入出力処理部１１５と、記憶処理部１１６と、表示処理部１１７と、操作処理部１１８と、スケジュール処理部１１９と、シミュレーション処理部１２０と、運転指示処理部１２１と、監視処理部１２２と、通知処理部１２３と、を含んで構成される。データ処理部１１０は、例えば、ＣＰＵ（Central Processing Unit：中央演算処理装置）等のプロセッサによって構成される。
【００２８】
入出力部１１１は、ＴＭ／ＴＣ親局装置１３との通信接続を行うための通信インターフェースである。入出力部１１１は、データ処理部１１０の入出力処理部１１５による制御のもとで動作する。
【００２９】
入出力部１１１は、各分水工２０のＴＭ／ＴＣ子局装置２１から送信された、センサー２３から出力される情報に基づく計測信号や監視信号を、ＴＭ／ＴＣ親局装置１３を介して取得する。入出力処理部１１５は、入出力部１１１が取得した計測信号や監視信号を表示処理部１１７の画面生成処理部１１７０へ出力する。
【００３０】
また、入出力部１１１は、運転指示処理部１２１によって生成された、流量調整設備２２の駆動状態を変更させるための運転指示情報を、ＴＭ／ＴＣ親局装置１３を介してＴＭ／ＴＣ子局装置２１へ送信する。
【００３１】
記憶部１１２は、スケジュール情報等を記憶する記憶媒体である。記憶部１１２は、例えばＨＤＤ等の磁気ディスク装置、または、例えばＲＡＭ（Read Only Memory：読み書き可能なメモリ）やフラッシュメモリ等の半導体記憶装置を含んで構成される。記憶部１１２は、データ処理部１１０の記憶処理部１１６による制御のもとで動作する。
【００３２】
記憶部１１２は、スケジュール処理部１１９から入力されたスケジュール情報を記憶する。ここでいうスケジュール情報とは、用水管理設備の運用状態を指定する情報である。スケジュール情報は、例えば、流量調整設備の駆動パターン（例えば、バルブの開閉パターン）と駆動日時とを示す情報である。なお、記憶部１１２に記憶されたスケジュール情報は、スケジュール処理部１１９によって、新たなスケジュール情報に更新されることがある。
【００３３】
表示部１１３は、表示処理部１１７の画面生成処理部１１７０によって生成された画面（以下「表示画面」という。）を表示する出力インターフェースである。表示部１１３は、例えば、ＬＣＤ（Liquid Crystal Display：液晶ディスプレイ）等の表示装置を含んで構成される。表示部１１３は、データ処理部１１０の表示処理部１１７による制御のもとで動作する。
【００３４】
画面生成処理部１１７０は、表示画面を生成する。ここでいう表示画面とは、例えば、記憶部１１２に記憶された複数のスケジュール情報に基づいて、分水工２０の運用状態を示す情報を分水工２０毎に時系列に表示したスケジュール一覧画面、シミュレーション処理部１２０から出力された情報に基づくシミュレーション結果を示すシミュレーション結果表示画面、あるいは、用水管理設備内の各地点における用水の流量等の状態を示す監視画面等である。
【００３５】
また、画面生成処理部１１７０は、用水管理設備の制御パターンを示す表示画面（例えば、後述する用水管理設備の制御パターン選択ウィンドウ）を生成する。なお、ここでいう用水管理設備の制御パターンとは、例えば、分水工２０の駆動状態に関する予め定められた複数の駆動パターン（例えば、バルブの開閉パターン）である。
画面生成処理部１１７０は、生成された表示画面を示す情報を、表示部１１３へ出力する。
【００３６】
操作部１１４は、ユーザ（例えば、中央管理所１０の操作員）による操作入力を受け付ける入力インターフェースである。操作部１１４は、例えば、キーボード、マウスおよび入力ボタン等の入力デバイスを含んで構成される。操作部１１４は、データ処理部１１０の操作処理部１１８による制御のもとで動作する。
ユーザによる操作入力に基づく情報は、操作処理部１１８へ出力される。
【００３７】
上記の表示部１１３および操作部１１４の構成により、ユーザは、表示部１１３に表示された情報を参照して、操作部１１４によって操作入力を行うことができる。なお、ここでいう表示部１１３に表示された情報とは、例えば、用水管理設備内の各地点における用水の流量や水位を示す情報や、用水管理設備における異常（例えば、故障）の発生の有無を示す情報等である。
なお、表示部１１３および操作部１１４は、入力機能と出力機能とを有する１つの入出力デバイス（例えば、タッチパネル等）によって構成されていてもよい。
【００３８】
操作部１１４は、スケジュール情報の入力を受け付ける。なお、ここでいうスケジュール情報とは、上述したように、用水管理設備の運用状態を示す情報である。スケジュール情報は、例えば、各分水工２０の流量調整設備２２の駆動パターン（例えば、バルブの開閉パターン）および駆動日時（特定時点）を示す情報である。
【００３９】
また、操作部１１４は、表示部１１３によって表示された用水管理設備の複数の制御パターン（例えば、分水工２０の駆動状態に関する予め定められた複数の駆動パターン）の中から選択された特定の制御パターンを示すスケジュール情報の入力を受け付ける。
操作処理部１１８は、操作部１１４によって入力されたスケジュール情報をスケジュール処理部１１９へ出力する。
【００４０】
スケジュール処理部１１９は、操作処理部１１８からのスケジュール情報の入力を受け付ける。入力されたスケジュール情報が新規追加されるスケジュール情報である場合、スケジュール処理部１１９は、入力されたスケジュール情報を、記憶処理部１１６を介して記憶部１１２に新たに記憶させる。また、入力されたスケジュール情報が既存のスケジュール情報を更新するスケジュール情報である場合、スケジュール処理部１１９は、記憶処理部１１６を介して、記憶部１１２に記憶された該当するスケジュール情報を、新たに入力されたスケジュール情報に更新する。
なお、例えば、表示部に１１３よって表示されたスケジュール一覧画面に対して行われる操作部１１４による入力に基づいて、スケジュール情報が更新される。
【００４１】
シミュレーション処理部１２０は、記憶部１１２に記憶されたスケジュール情報と、各分水工２０の運用状態（例えば、流量調整設備２２の駆動状態）と支線水路を流れる用水の流量とが対応付けられた情報と、に基づいて、時刻毎の（将来の各時刻における）各期間用水路および各支線水路を流れる用水の流量を予測するシミュレーションを実行する。具体的には、シミュレーション処理部１２０は、例えば、各分水工２０に備えられた流量調整設備２２の駆動状態（例えば、バルブの開閉状態）をスケジュール情報に従って変更させた場合における、各期間用水路および各支線水路に流れる用水の流量を予測するためのシミュレーションを実行する。シミュレーション処理部１２０は、シミュレーション結果を示す情報を表示処理部１１７の画面生成処理部１１７０へ出力する。
なお、各分水工２０の運用状態（例えば、流量調整設備２２の駆動状態）と支線水路を流れる用水の流量とが対応付けられた情報は、例えば、予め記憶部１１２に記憶されている。
【００４２】
運転指示処理部１２１は、記憶部１１２に記憶されたスケジュール情報に基づいて運転指示情報を生成する。ここでいう運転指示情報とは、各分水工２０の運用状態（例えば、流量調整設備２２の駆動状態）を変更させる指示を示す情報である。運転指示処理部１２１は、生成された運転指示情報を入出力処理部１１５へ出力する。
【００４３】
監視処理部１２２は、各分水工２０に備えられたセンサー２３から出力される情報に基づく計測信号や監視信号を、入出力処理部１１５を介して取得することにより、各分水工２０の運用状態を監視する。
【００４４】
なお、計測信号や監視信号は、監視処理部１２２から入出力処理部１１５を介してＴＭ／ＴＣ子局装置２１に対して定期的に送信要求が行われることに応じて、ＴＭ／ＴＣ子局装置２１から入出力処理部１１５を介して監視処理部１２２へ伝送される構成であってもよい。または、計測信号や監視信号は、所定の条件が満たされた場合に、ＴＭ／ＴＣ子局装置２１から入出力処理部１１５を介して監視処理部１２２へ送信される構成であってもよい。なお、ここでいう所定の条件とは、例えば、用水管理設備内の特定の地点における用水の流量の実際値と計画値との差が所定の閾値を超えて大きくなった場合、あるいは、用水管理設備における故障の発生を検知した場合等である。
【００４５】
監視処理部１２２は、監視によって得られた各分水工２０の運用状態を示す情報に基づいて、通知処理を行う必要があるか否かを判定する。監視処理部１２２は、通知処理を行う必要があると判定した場合、通知対象である分水工２０の運用状態を示す情報を通知処理部１２３へ出力する。
【００４６】
なお、監視処理部１２２は、例えば、ＴＭ／ＴＣ子局装置２１から送信された情報（計測信号および監視信号）に基づいて、水路を流れる用水の流量の実際値と計画値との差が所定の閾値を超えたことを検知した場合、あるいは、用水管理設備における故障の発生を示す監視信号を取得した場合に、通知処理を行う必要があると判定する。
【００４７】
通知処理部１２３は、監視処理部１２２から、通知対象である分水工２０の運用状態を示す情報を取得する。通知処理部１２３は、取得した情報に基づいて、ユーザに対する通知を示す通知情報を生成して出力する通知処理を実行する。
【００４８】
なお、ここでいう通知情報とは、例えば、水路を流れる用水の流量の実際値と計画値との差が所定の閾値を超えたことを知らせるための通知、および、用水管理設備における故障の発生を知らせるための通知のうち少なくとも一方を示す情報である。
【００４９】
なお、ここでいう通知処理とは、例えば、通知情報に基づいて通知を示す表示画面が画面生成処理部１１７０によって生成され、表示処理部１１７を介して表示部１１３に表示画面を表示させる処理である。なお、通知処理は、例えば、アラーム音を発生させる、アラームランプを点灯させる、またはユーザに対して電子メールを送信させる等の処理であってもよい。
【００５０】
［ＴＭ／ＴＣ子局装置の機能構成］
以下、ＴＭ／ＴＣ子局装置２１の機能構成について説明する。
図４は、用水管理システム１のＴＭ／ＴＣ子局装置２１の機能構成を示すブロック図である。図４に示すように、ＴＭ／ＴＣ子局装置２１は、データ処理部２１０と、送信部２１１と、取得部２１２と、記憶部２１３と、を含んで構成される。
【００５１】
また、図４に示すように、データ処理部２１０は、送信処理部２１４と、取得処理部２１５と、記憶処理部２１６と、駆動制御部２１７と、を含んで構成される。データ処理部２１０は、例えば、ＣＰＵ等のプロセッサによって構成される。
【００５２】
送信部２１１は、ＴＭ／ＴＣ親局装置１３および流量調整設備２２との通信接続をそれぞれ行い、データを送信するための通信インターフェースである。送信部２１１は、送信処理部２１４による制御のもとで動作する。
【００５３】
送信処理部２１４は、センサー２３から出力される情報（例えば、センサー２３によって計測された、支線水路を流れる用水の流量や水位を示す情報、および、分水工２０における故障の発生を示す情報）に基づく計測信号や監視信号を、取得処理部２１５を介して取得する。送信処理部２１４は、取得した計測信号および監視信号のうち少なくとも一方を、送信部２１１を介してＴＭ／ＴＣ親局装置１３へ送信する。
また、送信処理部２１４は、流量調整設備２２の駆動状態を変更させるための制御情報を、駆動制御部２１７を介して取得する。送信処理部２１４は、取得した制御情報を、送信部２１１を介して流量調整設備２２へ送信する。
【００５４】
取得部２１２は、ＴＭ／ＴＣ親局装置１３およびセンサー２３との通信接続をそれぞれ行い、データを受信するための通信インターフェースである。取得部２１２は、取得処理部２１５による制御のもとで動作する。
【００５５】
取得部２１２は、ＴＭ／ＴＣ親局装置１３から送信された運転指示情報を取得する。取得処理部２１５は、取得部２１２が取得した運転指示情報を駆動制御部２１７へ出力する。
また、取得部２１２は、センサー２３から出力される情報に基づく計測信号や監視信号を取得する。取得処理部２１５は、取得部２１２が取得した計測信号や監視信号を、送信処理部２１４へ出力する。
【００５６】
記憶部２１３は、データ処理部２１０において実行される処理において用いられる各種のデータを記憶する記憶媒体である。記憶部２１３は、例えばＨＤＤ等の磁気ディスク装置、または、例えばＲＡＭやフラッシュメモリ等の半導体記憶装置を含んで構成される。記憶部２１３は、データ処理部２１０の記憶処理部２１６による制御のもとで動作する。
記憶部２１３は、例えば、運転指示情報、計測信号および監視信号等のデータを一時的に記憶する。
【００５７】
駆動制御部２１７は、取得部２１２が取得した運転指示情報を、取得処理部２１５を介して取得する。駆動制御部２１７は、取得した運転指示情報に基づいて流量制御設備２２の駆動状態を変更させるための制御情報を生成する。駆動制御部２１７は、生成した制御信号を、送信処理部２１４を介して流量制御設備２２へ送信する。これにより、流量制御設備２２の駆動状態が変更され、支線水路を流れる用水の流量が制御される。
【００５８】
［スケジュール一覧画面の構成］
以下、スケジュール一覧画面の構成について説明する。
図５は、用水管理システム１によって表示されるスケジュール一覧画面の構成の一例を示す図である。図５に示すように、スケジュール一覧画面ｓ１には、スケジュール情報表示領域ａ１が含まれる。スケジュール情報表示領域ａ１には、スケジュール情報が時系列に一覧化された情報が表示される。
なお、以下の各画面の説明においては、一例として、流量調整設備２２はバルブであるものとする。
【００５９】
スケジュール情報表示領域ａ１において、縦軸には各分水工２０の名称、横軸には日時が表示される。スケジュール情報表示領域ａ１では、バルブが開かれた状態となる時間帯が各分水工２０ごとに棒グラフによって表される。
【００６０】
例えば、図５に示すように、分水工Ｂ２０ｂのバルブは、２０１７年１２月１１日の１４時３０分から１８時３０分までの間、開かれた状態となることが表されている。また、例えば、図５に示すように、２０１７年１２月１１日の１４時３０分から１５時までの間は、分水工Ａ２０ａ、分水工Ｂ２０ｂおよび分水工Ｃ２０ｃのバルブがそれぞれ開かれた状態であり、分水工Ｄ２０ｄのバルブが閉じた状態であることが表されている。
【００６１】
また、スケジュール一覧画面ｓ１の下部には、新規スケジュール登録ボタンｂ１と、シミュレーション実行ボタンｂ２と、「監視画面へ」と記載された監視画面遷移ボタンｂ３とが表示される。
【００６２】
新規スケジュール登録ボタンｂ１が押下されると、ユーザが新規スケジュールを登録するための表示画面に切り替わる。なお具体的には、例えば、マウス等の操作入力装置をユーザが操作することにより、新規スケジュール登録ボタンｂ１を示す画像領域にマウスカーソルが位置づけられた状態で、マウスのボタンがクリックされることによって新規スケジュール登録ボタンｂ１の押下がなされる。
【００６３】
以下に、新規スケジュール登録ボタンｂ１が押下された場合に表示される表示画面について説明する。
図６は、用水管理システム１によって表示される日付選択ウィンドウの構成の一例を示す図である。図６に示すように、新規スケジュール登録ボタンｂ１が押下されると、日付選択ウィンドウｗ１が表示される。
【００６４】
ユーザは、日付選択ウィンドウｗ１に表示された日付の中から、登録するスケジュールの日付（すなわち、特定の分水工２０のバルブの開閉状態を変更させる日付）を選択する。ユーザは、日付の選択を行った後、決定ボタンｂ４を押下する。なお、新規スケジュールの登録を中止する場合には、ユーザはキャンセルボタンｂ５を押下すればよい。
【００６５】
決定ボタンｂ５が押下されると、登録するスケジュールの時刻を選択するための時刻選択ウィンドウ（図示せず）が表示される。登録するスケジュールの日付および時刻の決定がなされると、用水管理設備の制御パターン（ここでは、分水工２０のバルブの開閉パターン）を選択するための制御パターン選択ウィンドウｗ２が表示される。
【００６６】
図７は、用水管理システム１によって表示される用水管理設備の制御パターン選択ウィンドウの構成の一例を示す図である。図７に示すように、制御パターン選択ウィンドウｗ２には、バルブを開く場合の４つのパターン（パターン１〜パターン４）と、バルブを閉じる場合の４つのパターン（パターン５〜パターン８）とが表示されている。制御パターン選択ウィンドウｗ２には、これらの合計８つの開閉パターンの中から１つの開閉パターンを選択可能に、ラジオボタンが表示される。
【００６７】
図７に示す制御パターン選択ウィンドウｗ２に表示されたバルブの各開閉パターンは、分水工２０のバルブの以下の駆動動作をそれぞれ表す。なお、以下の説明において、分水工Ａ２０ａのバルブを単に「バルブＡ」、分水工Ｂ２０ｂのバルブを単に「バルブＢ」という。
【００６８】
パターン１：バルブＡおよびバルブＢがいずれも全閉である状態で、バルブＡを全開にする。
パターン２：バルブＡが全閉およびバルブＢが全開である状態で、バルブＡを全開にする。
パターン３：バルブＡおよびバルブＢがいずれも全閉である状態で、バルブＢを全開にする。
パターン４：バルブＡが全開およびバルブＢが全閉である状態で、バルブＢを全開にする。
パターン５：バルブＡが全開およびバルブＢが全閉である状態で、バルブＡを全閉にする。
パターン６：バルブＡおよびバルブＢがいずれも全開である状態で、バルブＡを全閉にする。
パターン７：バルブＡが全閉およびバルブＢが全開である状態で、バルブＢを全閉にする。
パターン８：バルブＡおよびバルブＢがいずれも全開である状態で、バルブＢを全閉にする。
【００６９】
ユーザによって所望の開閉パターンが選択され、登録ボタンｂ６が押下されると、新規スケジュール情報の登録が完了する。スケジュール情報の登録が完了すると、スケジュール一覧画面ｓ１に表示画面が切り替わる。新規に登録されたスケジュール情報に基づいて、スケジュール一覧画面ｓ１のスケジュール情報表示領域ａ１に表示された棒グラフが更新される。
【００７０】
再び、図５に戻って説明する。
【００７１】
シミュレーション実行ボタンｂ２が押下されると、シミュレーション処理部１２０によって実行される。ここでいうシミュレーションとは、上述したように、登録されているスケジュール情報に基づいて各分水工のバルブの開閉状態が制御された場合における、流量の予測を行うシミュレーションである。シミュレーションの実行が完了すると、予測された流量等を含むシミュレーション結果を示すシミュレーション結果表示画面（図示せず）が表示される。
【００７２】
監視画面遷移ボタンｂ３が押下されると、スケジュール一覧画面ｓ１から監視画面へ表示が切り替わる。
【００７３】
なお、既に登録されているスケジュール情報の内容を変更する（スケジュール情報の更新を行う）場合には、例えば、変更対象であるスケジュール情報を示す棒グラフを選択することによって（例えば、棒グラフ上にマウスカーソルを位置づけてダブルクリックをすることによって）、スケジュール情報を更新するためのウィンドウが表示される構成にしてもよい。また、スケジュール情報が示すバルブの開閉時刻を変更させる場合には、例えば、変更対象である棒グラフの左端（バルブを開く時刻を示す位置）または右端（バルブを閉める時刻を示す位置）にマウスカーソルを位置づけてドラッグ操作をすることによって、バルブの開閉時刻が変更される構成にしてもよい。
【００７４】
［監視画面の構成］
以下、監視画面の構成について説明する。
図８は、用水管理システム１によって表示される監視画面の構成の一例を示す図である。図８に示すように、監視画面ｓ２には状態表示領域ｗ３が含まれる。状態表示領域ｗ３には、監視対象である用水管理設備を模式的に表した図と、各基幹用水路（基幹用水路Ｎおよび基幹用水路Ｓ）および各支線水路（支線水路Ａ、支線水路Ｂ、支線水路Ｃおよび支線水路Ｄ）における用水の流量の状態を示す情報とが含まれる。なお、各水路を流れる用水の流量の状態を示す情報の代わりに、各水路を流れる用水の水位の状態を示す情報が表示される構成であってもよい。
【００７５】
図８に示す状態表示領域ｗ３において、例えば、中央管理所から分水工Ａまでの基幹用水路Ｎの区間の流量である流量Ｎ１について、「状態：○、流量：５０ｍ３／ｓ、計画：５０ｍ３／ｓ」と表示されている。これは、計画されている流量が「５０ｍ３／ｓ」であり、現在の流量が「５０ｍ３／ｓ」であることを表している。また、流量の計画値と実際値とが一致していることから、現在の流量Ｎ１の状態は「○」（良好な状態）であることを表している。
【００７６】
また、例えば、支線水路Ｃの流量である流量Ｃについて、「状態：△、流量：３５ｍ３／ｓ、計画：４０ｍ３／ｓ」と表示されている。これは、計画されている流量が「４０ｍ３／ｓ」であり、現在の流量が「３５ｍ３／ｓ」であることを表している。また、流量の計画値に対して実際値がやや不足していることから、現在の流量Ｃの状態は「△」（注意を要する状態）であることを表している。なお、「×」は、流量の計画値と実際値とが大きく乖離しており、危険な状態であることを表す。
【００７７】
このように、監視対象である用水管理設備を模式的に表した図と、各基幹用水路および各支線水路における用水の流量の状態を示す情報とが一括表示された状態表示領域ｗ３を、ユーザは参照することができる。これにより、ユーザは、用水管理設備の監視を容易に行うことができる。なお、上述したシミュレーション結果表示画面に表示されるシミュレーション実行結果が、図８に示した状態表示領域ｗ３と同一の表示形式で表示される構成であってもよい。
【００７８】
また、監視画面ｓ２の下部には、「スケジュール一覧画面へ」と記載されたスケジュール一覧画面遷移ボタンｂ８が表示される。スケジュール一覧画面遷移ボタンｂ８が押下されると、監視画面ｓ２からスケジュール一覧画面ｓ１へ表示が切り替わる。
【００７９】
［用水管理装置の動作］
以下、用水管理システム１の用水管理装置１１の動作について説明する。
図９は、スケジュール一覧画面表示時における用水管理装置１１の動作の一例を示すフローチャートである。図９に示すフローチャートは、スケジュール一覧画面の表示要求を示す情報が操作部１１４によって入力された際に開始する。
【００８０】
まず、操作処理部１１８は、操作部１１４によって入力されたスケジュール一覧画面の表示要求を示す情報を、表示処理部１１７の画面生成処理部１１７０へ出力する。画面生成処理部１１７０は、スケジュール一覧画面の表示要求を示す情報を取得すると、スケジュール一覧画面を生成する。表示処理部１１７は、画面生成処理部１１７０によって生成されたスケジュール一覧画面を示す情報を、表示部１１３へ出力する。これにより、表示部１１３において、スケジュール一覧画面が表示される（ステップＳ００１）。
【００８１】
操作部１１４によってスケジュール情報の更新指示を示す情報が入力された場合（ステップＳ００２：ＹＥＳ）、操作処理部１１８は、スケジュール情報の更新指示を示す情報をスケジュール処理部１１９へ出力する。スケジュール処理部１１９は、スケジュール情報の更新指示を示す情報を取得すると、記憶処理部１１６を介して記憶部１１２に記憶されたスケジュール情報の更新を行う（ステップＳ００３）。
【００８２】
表示処理部１１７の画面生成処理部１１７０は、更新されたスケジュール情報に基づいて、スケジュール一覧画面を再生成する。表示処理部１１７は、画面生成処理部１１７０によって再生成されたスケジュール一覧画面を示す情報を、表示部１１３へ出力する。これにより、表示部１１３において、スケジュール一覧画面が更新される（ステップＳ００４）。
【００８３】
操作部１１４によってシミュレーションの実行指示を示す情報が入力された場合（ステップＳ００５：ＹＥＳ）、操作処理部１１８は、シミュレーションの実行指示を示す情報をシミュレーション処理部１２０へ出力する。シミュレーション処理部１２０は、記憶部１１２に記憶されたスケジュール情報に基づいて、シミュレーションを実行する（ステップＳ００６）。
【００８４】
表示処理部１１７の画面生成処理部１１７０は、シミュレーションの実行結果に基づいて、シミュレーション結果表示画面を生成する。表示処理部１１７は、画面生成処理部１１７０によって生成されたシミュレーション結果表示画面を示す情報を、表示部１１３へ出力する。これにより、表示部１１３において、シミュレーション結果表示画面が表示される（ステップＳ００７）。
【００８５】
操作部１１４によってスケジュール一覧画面の表示終了指示を示す情報が入力された場合（ステップＳ００８：ＹＥＳ）、表示処理部１１７の画面生成処理部１１７０は、スケジュール一覧画面の生成を終了する。これにより、表示部１１３において、スケジュール一覧画面の表示が終了する（ステップＳ００９）。
以上で、図９に示すフローチャートの処理が終了する。
【００８６】
図１０は、自動運転実行時における用水管理装置１１動作の一例を示すフローチャートである。図１０に示すフローチャートは、操作部１１４によって自動運転実行指示を示す情報が入力された際に開始する。
【００８７】
まず、操作処理部１１８は、操作部１１４によって入力された自動運転実行指示の入力を受け付ける（ステップＳ１０１）。操作処理部１１８は、入力された自動運転実行指示を運転指示処理部１２１へ出力する。
【００８８】
運転指示処理部１２１は、自動運転実行指示を取得すると、記憶部１１２に記憶されたスケジュール情報に基づいて、各分水工２０の流量調整設備２２の駆動状態を変更させるための指示を示す運転指示情報を生成する。運転指示処理部１２１は、生成した運転指示情報を、入出力処理部１１５を介してＴＭ／ＴＣ子局装置２１へ送信する。これにより、自動運転が開始される（ステップＳ１０２）。
【００８９】
監視処理部１２２が、各分水工２０に備えられたセンサー２３から出力される情報に基づく計測信号または監視信号を、入出力処理部１１５を介して取得する。監視処理部１２２は、取得した信号に基づいて用水の流量の状態あるいは分水工２０の運用状態に異常を検知した場合（ステップＳ１０３：ＹＥＳ）、異常を示す情報を通知処理部１２３へ出力する。通知処理部１２３は、監視処理部１２２から出力された異常を示す情報に基づいて、異常の通知を示す通知情報を生成して出力する。これにより、異常の通知が行われる（ステップＳ１０４）。
【００９０】
操作部１１４によって自動運転の停止指示を示す情報が入力された場合（ステップＳ１０５：ＹＥＳ）、操作処理部１１８は、自動運転の停止指示を示す情報を運転指示処理部１２１へ出力する。運転指示処理部１２１は、自動運転の停止指示を示す情報を取得すると、運転指示情報の生成を終了する。これにより、自動運転が停止される（ステップＳ１０６）。
以上で、図１０に示すフローチャートの処理が終了する。
【００９１】
以上説明した少なくともひとつの実施形態によれば、用水管理システムは、ユーザによる操作入力に基づくスケジュール情報の入力を受け付ける操作部１１４と、スケジュール情報を記憶する記憶部１１２と、記憶部１１２に記憶されたスケジュール情報に基づいて各分水工２０の流量調整設備２２の駆動状態を変更させる指示を示す運転指示情報を生成する運転指示処理部１２１と、生成された運転指示情報を各分水工２０へ出力する入出力部１１１とを持つ。この構成により、入力されたスケジュール情報に基づいて自動的に各分水工２０における流量調整設備２２の駆動状態が制御されるため、用水管理システムは、用水管理設備の制御を容易にすることができる。
【００９２】
また、以上説明した少なくともひとつの実施形態によれば、例えば、スケジュール一覧画面ｓ１や監視画面ｓ２等の表示画面を生成する画面生成処理部１１７０をさらに持つことにより、登録されたスケジュール情報や現在の分水工設備の運用状態等が一括して視覚的に分かり易くユーザに対して提示されるため、用水管理設備の制御および監視を容易にすることができる。
【００９３】
また、以上説明した少なくともひとつの実施形態によれば、画面生成処理部１１７０によって生成された表示画面を表示する表示部１１３と、表示部１１３によって表示されたスケジュール一覧画面に対して行われる操作部１１４による入力に基づいて、記憶部１１２に記憶された該当するスケジュール情報を新たなスケジュール情報に更新するスケジュール処理部１１９とをさらに持つことにより、スケジュール情報の変更が容易になるため、用水管理設備の制御を容易にすることができる。
【００９４】
また、以上説明した少なくともひとつの実施形態によれば、登録されたスケジュール情報と、分水工２０の運用状態と水路を流れる用水の流量とが対応付けられた情報と、に基づいて、時刻毎の水路に流れる用水の流量を予測するシミュレーション処理部１２０をさらに持つことにより、用水管理設備における将来の用水の送配水の状態を予測することができるため、意図に反する配水が行われることを防止することができる。
【００９５】
また、以上説明した少なくともひとつの実施形態によれば、水路を流れる用水の流量の実際値と計画値との差が所定の閾値を超えたことを示す通知、および、分水工２０における故障の発生を示す通知のうち少なくとも一方を出力する出力する通知処理部１２３をさらに持つことにより、意図に反する送配水が行われたり、用水管理設備に異常が発生したりした場合にはユーザに対して通知が行われるため、用水管理設備の監視を容易にすることができる。
【００９６】
また、以上説明した少なくともひとつの実施形態によれば、表示部１１３が、分水工２０の駆動状態に関する予め定められた複数の駆動パターンを表示し、操作部１１４が、表示部１１３に表示された複数の駆動パターンの中から選択された特定の駆動パターンを示すスケジュール情報の入力を受け付けることにより、駆動パターンを選択して日時を選択するだけでスケジュール情報の登録が完了するため、用水管理設備の制御を容易にすることができる。
【００９７】
なお、上述した実施形態における用水管理システム１の一部または全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【００９８】
なお、ここでいう「コンピュータシステム」とは、用水管理システム１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９９】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１００】
また、上述した実施形態における用水管理システム１の一部または全部を、ＬＳＩ（Large Scale Integration）等の集積回路として実現してもよい。用水管理システム１の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１０１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
１…用水管理システム、１０…中央管理所、１１…用水管理装置、１３…ＴＭ／ＴＣ親局装置、２０…分水工、２１…ＴＭ／ＴＣ子局装置、２２…流量調整設備、２３…センサー、１１０…データ処理部、１１１…入出力部、１１２…記憶部、１１３…表示部、１１４…操作部、１１５…入出力処理部、１１６…記憶処理部、１１７…表示処理部、１１８…操作処理部、１１９…スケジュール処理部、１２０…シミュレーション処理部、１２１…運転指示処理部、１２２…監視処理部、１２３…通知処理部、２１０…データ処理部、２１１…送信部、２１２…取得部、２１３…記憶部、２１４…送信処理部、２１５…取得処理部、２１６…記憶処理部、２１７…駆動制御部、１１７０…画面生成処理部
【図１】
2019122282.tif 000003
【図２】
2019122282.tif 000004
【図３】
2019122282.tif 000005
【図４】
2019122282.tif 000006
【図５】
2019122282.tif 000007
【図６】
2019122282.tif 000008
【図７】
2019122282.tif 000009
【図８】
2019122282.tif 000010
【図９】
2019122282.tif 000011
【図１０】
2019122282.tif 000012